(57)【特許請求の範囲】
【請求項１】
移動通信網に収容される複数の基地局を選択して無線通信する移動無線端末装置において、
受信品質を検出する品質検出手段と、
ハンドオーバの発生頻度を検出する頻度検出手段と、
該頻度検出手段が検出した発生頻度に応じた周期で、位置登録を済ませた基地局の受信品質と、他の基地局の受信品質とを比較する比較手段と、
該比較手段の比較結果に応じて、位置登録を行う登録手段と
を具備し、
前記比較手段は、予め設定した比較時間の間、位置登録を済ませた基地局の受信品質と、他の基地局の受信品質とを比較し、
前記登録手段は、前記比較手段の比較結果に基づき、前記比較時間の間、前記位置登録を済ませた基地局の受信品質が、他の基地局の受信品質を下回っていた場合に、前記他の基地局に位置登録を行う、移動無線端末装置。
【請求項２】
移動通信網に収容される複数の基地局を選択して無線通信する移動無線端末装置において、
受信品質を検出する品質検出手段と、
ハンドオーバの発生頻度を検出する頻度検出手段と、
該頻度検出手段が検出した発生頻度に応じた周期で、位置登録を済ませた基地局の受信品質と、他の基地局の受信品質とを比較する比較手段と、
該比較手段の比較結果に応じて、位置登録を行う登録手段と
を具備し、
前記比較手段は、予め設定した比較時間の間、位置登録を済ませた基地局の受信品質と、他の基地局の受信品質とを比較し、
前記登録手段は、前記比較手段の比較結果に基づき、前記比較時間の間に、前記位置登録を済ませた基地局の受信品質が、他の基地局の受信品質を上回った場合には、前記他の基地局への位置登録を行わない、移動無線端末装置。
【請求項３】
移動通信網に収容される複数の基地局を選択して無線通信する移動無線端末装置において、
複数のアンテナと、
使用するアンテナを選択する選択手段と、
該選択手段が選択したアンテナを使用して、受信品質を検出する品質検出手段と、
ハンドオーバの発生頻度を検出する頻度検出手段と、
該頻度検出手段が検出した発生頻度に応じた周期で、前記選択手段を制御して使用するアンテナを切り替える切替手段と、
前記頻度検出手段が検出した発生頻度に応じた周期で、位置登録を済ませた基地局の受信品質と、他の基地局の受信品質とを比較する比較手段と、
該比較手段の比較結果に応じて、位置登録を行う登録手段と
を具備し、
前記比較手段は、予め設定した比較時間の間、位置登録を済ませた基地局の受信品質と、他の基地局の受信品質とを比較し、
前記登録手段は、前記比較手段の比較結果に基づき、前記比較時間の間、前記位置登録を済ませた基地局の受信品質が、他の基地局の受信品質を下回っていた場合に、前記他の基地局に位置登録を行う、移動無線端末装置。
【請求項４】
移動通信網に収容される複数の基地局を選択して無線通信する移動無線端末装置において、
複数のアンテナと、
使用するアンテナを選択する選択手段と、
該選択手段が選択したアンテナを使用して、受信品質を検出する品質検出手段と、
ハンドオーバの発生頻度を検出する頻度検出手段と、
該頻度検出手段が検出した発生頻度に応じた周期で、前記選択手段を制御して使用するアンテナを切り替える切替手段と、
前記頻度検出手段が検出した発生頻度に応じた周期で、位置登録を済ませた基地局の受信品質と、他の基地局の受信品質とを比較する比較手段と、
該比較手段の比較結果に応じて、位置登録を行う登録手段と
を具備し、
前記比較手段は、予め設定した比較時間の間、位置登録を済ませた基地局の受信品質と、他の基地局の受信品質とを比較し、
前記登録手段は、前記比較手段の比較結果に基づき、前記比較時間の間に、前記位置登録を済ませた基地局の受信品質が、他の基地局の受信品質を上回った場合には、前記他の基地局への位置登録を行わない、移動無線端末装置。
【発明の詳細な説明】
【技術分野】
【０００１】
この発明は、例えば携帯電話システムなどの移動通信システムに用いられる移動無線端末装置に関する。
【背景技術】
【０００２】
周知のように、例えば携帯電話システムなどの移動通信システムでは、複数の基地局がそれぞれ無線ゾーンを形成しており、移動無線端末装置が、基地局から送信されるパイロット信号の受信品質を測定し、受信品質が良好な基地局を通じて位置登録を行って、着信待ち受けを行う（例えば、非特許文献１および非特許文献２参照）。
【０００３】
しかしながら、無線ゾーンの境界など、いわゆるフリンジエリアに移動無線端末装置が位置する場合、受信品質の変動が激しく、位置登録が頻発することがある。例えば、ユーザの住まいなどがフリンジエリアにあった場合、定常的に位置登録が頻発することになり、移動無線端末装置はバッテリを浪費するという問題があった。
【特許文献１】3GPP TS 25.331 V6.10.0 (2006-06) Technical Specification 3rd Generation Partnership Project; Technical Specification Group Radio Access Network; Radio Resource Control (RRC); Protocol Specification (Release 6)
【特許文献２】3GPP TS 25.304 V5.9.0 (2005-09) Technical Specification 3rd Generation Partnership Project; Technical Specification Group Radio Access Network; User Equipment (UE) procedures in idle mode and procedures for cell reselection in connected mode (Release 5)
【発明の開示】
【発明が解決しようとする課題】
【０００４】
従来の移動無線端末装置では、ユーザがよく利用する運用環境がフリンジエリアであったりすると、基地局に対する位置登録処理が頻発して、バッテリを浪費するという問題があった。  
この発明は上記の問題を解決すべくなされたもので、ユーザがフリンジエリアで利用しても、正確に位置登録処理の必要性を判定して、無用な位置登録処理によるバッテリ浪費を抑制することが可能な移動無線端末装置を提供することを目的とする。
【課題を解決するための手段】
【０００５】
上記の目的を達成するために、この発明は、移動通信網に収容される複数の基地局を選択して無線通信する移動無線端末装置において、受信品質を検出する品質検出手段と、ハンドオーバの発生頻度を検出する頻度検出手段と、該頻度検出手段が検出した発生頻度に応じた周期で、位置登録を済ませた基地局の受信品質と、他の基地局の受信品質とを比較する比較手段と、該比較手段の比較結果に応じて、位置登録を行う登録手段とを具備し、前記比較手段は、予め設定した比較時間の間、位置登録を済ませた基地局の受信品質と、他の基地局の受信品質とを比較し、前記登録手段は、前記比較手段の比較結果に基づき、前記比較時間の間、前記位置登録を済ませた基地局の受信品質が、他の基地局の受信品質を下回っていた場合に、前記他の基地局に位置登録を行うようにした。
【発明の効果】
【０００６】
以上述べたように、この発明では、ハンドオーバの発生頻度に応じた周期で、位置登録を済ませた基地局の受信品質と、他の基地局の受信品質とを比較し、この比較結果に応じて位置登録を行うようにしている。
【０００７】
したがって、この発明によれば、例えばユーザがフリンジエリアで利用しても、ハンドオーバの発生頻度に応じた正確な位置登録処理の必要性を判定でき、無用な位置登録処理によるバッテリ浪費を抑制するが可能な移動無線端末装置を提供できる。
【発明を実施するための最良の形態】
【０００８】
以下、図面を参照して、この発明の実施形態に関わる移動通信システムについて説明する。移動通信システムは、移動通信網に収容される基地局と、この基地局と無線通信する移動局とを備える。以下の説明では、基地局と移動局との間の通信に、変調方式としてOFDM(Orthogonal Frequency Division Multiplexing)方式を採用する場合を例に挙げて説明する。
【０００９】
まず、この発明の第１の実施形態に係わる無線通信システムの移動局の構成について説明する。図１は、この移動局が備える、上記システムの下り回線の受信系の構成を中心に示したものである。
【００１０】
図１に示すように、移動局は、制御部１００と、無線受信部１０１と、GI(Guard Interval)除去部１０２と、FFT(Fast Fourier Transform)部１０３と、信号分離部１０４と、品質測定部１０５と、制御チャネル復調部１０６と、直交コード乗算部１０７と、デリピティション部１０８と、復調部１０９と、チャネルデインターリーバ１１０と、チャネルデコーダ１１１と、記憶部１１２と、送信系１１３とを備えている。
【００１１】
無線受信部１０１は、基地局から送信される無線信号を受信し、この受信した信号から所望帯域外の雑音を除去する帯域通過フィルタと、このフィルタを通過した信号をベースバンドのディジタル信号に変換するＡＤ変換器とを備える。  
GI除去部１０２は、無線受信部１０１から出力されるベースバンドのディジタル信号からガードインターバルを除去する。
【００１２】
FFT部１０３は、GI除去部１０２にてガードインターバルが除去されたディジタル信号を高速フーリエ変換して、時間領域の信号から周波数領域の信号に変換することで、サブキャリア毎の信号に分割する。
【００１３】
信号分離部１０４は、FFT部１０３にてサブキャリア毎に分割された信号を、位相基準信号や制御信号、データ信号等に分離し、分離した信号を、それぞれ対応するモジュールに出力する。この例では、位相基準信号は、品質測定部１０５および復調部１０９に出力し、制御信号は、制御チャネル復調部１０６に出力し、データ信号は、直交コード乗算部１０７に出力するものとする。
【００１４】
品質測定部１０５は、制御部１００からの指示にしたがって動作し、各基地局に割り当てられたスクランブリングパタンと、受信した位相基準信号との相互相関をとることにより、各基地局から受信した信号の電力レベルまたは電力密度を測定する。そして、品質測定部１０５は、基地局毎の測定結果から、その受信電力レベルと、それ以外の基地局の受信電力レベル比から干渉レベルを求める。品質測定部１０５は、同じ基地局であっても、スクランブリングパターンによって、その基地局が形成する各セクタの受信信号を区別して、セクタ間に生じる干渉も求める。
【００１５】
制御チャネル復調部１０６は、信号分離部１０４から与えられる制御信号を復調して、物理層に関する制御情報を抽出し、この制御情報を制御部１００に出力する。なお、この制御情報には、基地局から送られた伝送フォーマットを示すMCS情報や、当該移動局宛ての着信の発生を報知する着信報知情報が含まれる。
【００１６】
直交コード乗算部１０７は、データ信号に、制御部１００からの指示されるパラメータＮに相当する直交コードの複素共役を乗算して、他の基地局からの信号成分をキャンセルし、この乗算結果を出力する。なお、パラメータＮ＝１の場合には、データ信号に対して直交コードの複素共役の乗算を行わずに、そのままデータ信号を出力する。
【００１７】
デリピティション部１０８は、制御部１００から指示されるパラメータＮ分だけ、直交コード乗算部１０７の乗算結果を累積加算して、１つのデータとして出力する。なお、パラメータＮ＝１の場合には、上記乗算結果の累積加算は行わずに、そのまま出力する。
【００１８】
復調部１０９は、上記位相基準信号からサブキャリア周波数のチャネル推定値を求め、これを用いてデリピティション部１０８の出力をチャネル等価し、この等価結果を、制御部１００から指示される復調方式で復調することによって、データ信号を構成するビット列を再生する。
【００１９】
チャネルデインターリーバ１１０は、制御部１００から指示されるインターリーブパターンに基づいて、復調部１０９から出力されるビット列をチャネルデインターリーブする。  
チャネルデコーダ１１１は、制御部１００からの指示される符号化率Ｒで、チャネルデインターリーバ１１０から出力されるビット列をチャネルデコードし、送信データを再生する。
【００２０】
記憶部１１２は、制御部１００の制御プログラムや制御データを記憶するものである。例えば、記憶部１１２は、制御データとして、伝送フォーマットテーブルを記憶する。伝送フォーマットテーブルは、伝送フォーマットを識別するMCS情報と、変調方式Ｍ、符号化率Ｒ、リピティション数および直交化を決定するパラメータＮなどの情報を対応づけたものである。
【００２１】
また記憶部１１２は、ハンドオーバの発生時刻を記憶するハンドオーバテーブルを記憶する。そしてまた記憶部１１２は、図２に示すようなハンドオーバパラメータLと測定周期Ｔｎを対応付けた測定周期テーブルを記憶する。なお、Ｔ＞Ｔ１＞Ｔ２＞Ｔ３＞…＞０であり、Ｔは、例えば、3GPP TS 25.331 V6.10.0 (2006-06) Technical Specification 3rd Generation Partnership Project; Technical Specification Group Radio Access Network; Radio Resource Control (RRC); Protocol Specification (Release 6)で定められた通常の測定周期である。
【００２２】
制御部１００は、品質測定部１０５が求めた干渉レベルを示す制御情報を生成し、これを送信系１１３を通じて基地局に宛てて送信する。  
また制御部１００は、制御チャネル復調部１０６が抽出した制御情報からMCS情報を検出し、これから基地局が当該移動局宛ての送信に用いる伝送フォーマットが上記MCS情報で示される伝送フォーマットであることを認識する。そして制御部１００は、記憶部１１２が記憶する伝送フォーマットテーブルを参照し、基地局から送信される情報が受信できるように、上記MCS情報に対応するパラメータで当該移動局の各部を統括して制御する。
【００２３】
そしてまた制御部１００は、時刻を計時する機能を備えるほかに、ハンドオーバテーブルと、測定周期テーブルと、ハンドオーバパラメータＬと、品質測定部１０５が測定した各基地局の電力レベルまたは電力密度とに基づいて、ハンドオーバの必要性を判定し、この判定結果に応じて、ハンドオーバを実行する機能を備える。
【００２４】
次に、上記構成の移動局の動作について説明する。ここでは特に、ハンドオーバの判定と実行に関する動作について説明する。図３は、この動作を説明するためのフローチャートとであって、制御部１００によってなされる。制御部１００は、その制御プログラムを記憶部１１２から読み出して実行する。図３に示す処理は、当該基地局の電源が投入されると、電源が切られるまで切り返し実行される。なお、電源投入時には、ハンドオーバパラメータＬは、初期値として「１」に設定される。その後は、図３に示す処理で更新された値が、電源が切られるまで保持される。
【００２５】
まずステップ３ａにおいて制御部１００は、受信系の各部を動作制御して、通信もしくは着信待ち受けに用いている基地局（以下、カレント基地局と称する）から送信される信号を間欠受信させるとともに、品質測定部１０５にその受信電力レベル（もしくは電力密度）を測定させ、ステップ３ｂに移行する。これにより、受信系の各部は、カレント基地局以外の基地局から送信される信号を受信し、品質測定部１０５は、上記信号に基づいて受信電力レベルを測定する。
【００２６】
ステップ３ｂにおいて制御部１００は、ステップ３ａで品質測定部１０５に測定させた受信電力レベルが予め設定した閾値ｔｈ１以下か否かを判定することで、ハンドオーバの必要性があるか否かを判定する。ここで、上記受信電力レベルが閾値ｔｈ１以下の場合には、ステップ３ｃに移行し、一方、上記受信電力レベルが閾値ｔｈ１よりも大きい場合には、ステップ３ａに移行する。
【００２７】
ステップ３ｃにおいて制御部１００は、再び受信系の各部および品質測定部１０５を動作制御して、カレント基地局以外の基地局について受信電力レベルを測定させる。これにより、受信系の各部は、カレント基地局以外の基地局から送信される信号を受信し、品質測定部１０５は、上記信号に基づいて受信電力レベルを測定する。そして制御部１００は、その測定結果に基づいて、高い受信電力が得られる候補基地局を検出し、ステップ３ｄに移行する。
【００２８】
ステップ３ｄにおいて制御部１００は、記憶部１１２が記憶するハンドオーバテーブルを参照し、現在時刻から過去の所定時間内に発生したハンドオーバ回数、すなわち所定時間内に発生したハンドオーバの発生頻度ｆを検出し、ステップ３ｅに移行する。
【００２９】
ステップ３ｅにおいて制御部１００は、ステップ３ｄで検出したハンドオーバの発生頻度ｆが、予め設定した閾値ｔｈ２未満か以上かを判定することで、ハンドオーバが頻発しているか否かを判定する。ここで、ハンドオーバの発生頻度ｆが閾値ｔｈ２未満の場合には、ステップ３ｆに移行し、一方、ハンドオーバの発生頻度ｆが閾値ｔｈ２以上の場合には、ステップ３Ａに移行する。
【００３０】
ステップ３ｆにおいて制御部１００は、タイマを起動し、予め設定した時間（例えば、3GPP TS 25.331 V6.10.0 (2006-06) Technical Specification 3rd Generation Partnership Project; Technical Specification Group Radio Access Network; Radio Resource Control (RRC);Protocol Specification (Release 6)で規定される時間、５．１２秒）のカウントダウンを開始し、ステップ３ｇに移行する。
【００３１】
ステップ３ｇにおいて制御部１００は、ステップ３ｆのタイマスタートから、予め設定した通常の周期のｋ倍（ｋ＝０，１，２…）の周期Ｔ×ｋが到来したか否かを判定することで、間欠受信のタイミングが到来したか否かを判定する。ここで、間欠受信のタイミングが到来した場合には、ステップ３ｈに移行し、一方、間欠受信のタイミングが到来していない場合には、ステップ３ｇに移行して、間欠受信のタイミングの到来を再び監視する。
【００３２】
ステップ３ｈにおいて制御部１００は、制御チャネル復調部１０６を制御して、カレント基地局から送信される制御信号を受信させ、その復調結果に基づいて、当該移動局宛ての着信発生を示す着信報知情報の有無を確認する。ここで、着信報知情報を検出した場合には、図示しない着信報知処理を実行し、ユーザに着信の発生を報知する。
【００３３】
またステップ３ｈにおいて制御部１００は、上述した制御信号の受信に続いて、受信系の各部および品質測定部１０５を動作制御して、カレント基地局および候補基地局について受信電力レベルを測定させる。これにより、受信系の各部は、カレント基地局および候補基地局からそれぞれ送信される信号を受信し、品質測定部１０５は、上記信号に基づいて、カレント基地局および候補基地局について受信電力レベルを測定し、ステップ３ｉに移行する。
【００３４】
ステップ３ｉにおいて制御部１００は、ステップ３ｈにおいて品質測定部１０５が測定したカレント基地局の受信電力レベルと候補基地局の受信電力レベルを比較する。そして、カレント基地局の受信電力レベルが、候補基地局の受信電力レベル未満の場合には、ステップ３ｊに移行し、一方、カレント基地局の受信電力レベルが候補基地局の受信電力レベル以上の場合には、ハンドオーバの必要はないものと見なして当該処理を終了する。
【００３５】
ステップ３ｊにおいて制御部１００は、ステップ３ｆで起動したタイマがタイムアウトしたか否かを判定することで、ステップ３ｆでのタイマ起動から予め設定した時間が経過したか否かを判定する。ここで、予め設定した時間が経過した場合には、ステップ３ｐに移行し、一方、予め設定した時間が経過していない場合には、ステップ３ｇに戻り、引き続き、測定周期Ｔ毎に受信電力レベルの測定と比較を行う。
【００３６】
ステップ３Ａにおいて制御部１００は、記憶部１１２が記憶する測定周期テーブルを参照し、ハンドオーバパラメータＬに対応する測定周期Ｔｎを読み出し、ステップ３ｋに移行する。
【００３７】
ステップ３ｋにおいて制御部１００は、タイマを起動し、予め設定した時間（例えば、3GPP TS 25.331 V6.10.0 (2006-06) Technical Specification 3rd Generation Partnership Project; Technical Specification Group Radio Access Network; Radio Resource Control (RRC);Protocol Specification (Release 6)で規定される時間、５．１２秒）のカウントダウンを開始し、ステップ３ｌに移行する。
【００３８】
ステップ３ｌにおいて制御部１００は、ステップ３ｋのタイマスタートから、予め設定した通常の周期Ｔｎ×ｋ（ｋ＝０，１，２…）が到来したか否かを判定することで、間欠受信のタイミングが到来したか否かを判定する。ここで、間欠受信のタイミングが到来した場合には、ステップ３ｍに移行し、一方、間欠受信のタイミングが到来していない場合には、ステップ３ｌに移行して、間欠受信のタイミングの到来を再び監視する。
【００３９】
ステップ３ｍにおいて制御部１００は、受信系の各部および品質測定部１０５を動作制御して、カレント基地局および候補基地局について受信電力レベルを測定させ、ステップ３ｎに移行する。これにより、受信系の各部は、カレント基地局および候補基地局からそれぞれ送信される信号を受信し、品質測定部１０５は、上記信号に基づいて、カレント基地局および候補基地局について受信電力レベルを測定する。
【００４０】
またステップ３ｍにおいて制御部１００は、現在の周期Ｔｎ×ｋが、通常の周期Ｔの定数倍に相当する場合には、上述した受信電力レベルの測定に先立ち、制御チャネル復調部１０６を制御して、カレント基地局から送信される制御信号を受信させ、その復調結果に基づいて、当該移動局宛ての着信発生を示す着信報知情報の有無を確認する。ここで、着信報知情報を検出した場合には、図示しない着信報知処理を実行し、ユーザに着信の発生を報知する。
【００４１】
ステップ３ｎにおいて制御部１００は、ステップ３ｍにおいて品質測定部１０５が測定したカレント基地局の受信電力レベルと候補基地局の受信電力レベルを比較する。そして、カレント基地局の受信電力レベルが、候補基地局の受信電力レベル未満の場合には、ステップ３ｏに移行し、一方、カレント基地局の受信電力レベルが候補基地局の受信電力レベル以上の場合には、ハンドオーバの必要はないものと見なして、ステップ３Ｂに移行する。
【００４２】
ステップ３ｏにおいて制御部１００は、ステップ３ｋで起動したタイマがタイムアウトしたか否かを判定することで、ステップ３ｋでのタイマ起動から予め設定した時間が経過したか否かを判定する。ここで、予め設定した時間が経過した場合には、ステップ３ｐに移行し、一方、予め設定した時間が経過していない場合には、ステップ３ｌに戻り、引き続き、測定周期Ｔｎ毎に受信電力レベルの測定と比較を行う。
【００４３】
ステップ３Ｂにおいて制御部１００は、ハンドオーバパラメータＬの値を「１」だけ減らし、当該処理を終了する。これにより、次回ステップ３Ａに移行した場合に、今回の測定周期Ｔｎのよりも１段階長い周期を選択することになる。
【００４４】
ステップ３ｐにおいて制御部１００は、まず送信系１１３を制御して、ステップ３ｃで検出した候補基地局に対してハンドオーバの要求を行い、その後、受信系の各部および送信系１１３を制御して、所定の手順に従って候補基地局にハンドオーバする。そして、制御部１００は、送信系１１３を制御して、候補基地局を通じて位置登録を行い、ステップ３ｑに移行する。
【００４５】
ステップ３ｑにおいて制御部１００は、ステップ３ｐのハンドオーバを完了した時刻を、記憶部１１２が記憶するハンドオーバテーブルに記録し、ステップ３Ｃに移行する。  
ステップ３Ｃにおいて制御部１００は、ハンドオーバパラメータLの値を「１」だけ増やし、当該処理を終了する。これにより、次回ステップ３Ａに移行した場合に、今回の測定周期Ｔｎのよりも１段階短い周期を選択することになる。
【００４６】
以上のように、上記構成の移動局では、規格で定められた周期Ｔでのセル評価に加えて、ハンドオーバの発生／不発生に応じて変化するハンドオーバパラメータLに応じた周期でカレント基地局と候補基地局とを比較し、候補基地局がハンドオーバを行うべき基地局か正確かつ効率的に判定するようにしている。  
すなわち、図４に示すように、ハンドオーバが頻発しない（ｆが閾値ｔｈ２未満）場合には、図４（ａ）に示すように、通常の周期Ｔでカレント基地局と候補基地局との比較を行い、一方、ハンドオーバが頻発する（ｆが閾値ｔｈ２以上）場合には、図４（ｂ）に示すように、ハンドオーバパラメータＬに応じた周期Ｔｎ（＜Ｔ）でカレント基地局と候補基地局との比較を行う。
【００４７】
このように、ハンドオーバが頻発する場合には、規格で定まった通常の周期Ｔよりも短い周期Ｔｎでハンドオーバの必要性を判定するため、候補基地局の受信レベルがカレント基地局の受信電力レベルより低下して待ち受け基地局として相応しくない状態を検出しやすく、そして、その状態を検出した場合には（ステップ３ｎでＮｏ）、ハンドオーバを行わずにカレント基地局により待ち受けを継続するようにしている。
【００４８】
したがって、上記構成の移動局によれば、ユーザがフリンジエリアで利用しても、正確に位置登録処理の必要性を判定することができるので、無用な位置登録処理によるバッテリ浪費を抑制することができる。
【００４９】
なお、ハンドオーバが頻発する（ｆが閾値ｔｈ２以上）場合には、図４（ｂ）に示すように、ハンドオーバパラメータＬに応じた周期Ｔｎ（＜Ｔ）でカレント基地局と候補基地局との比較を行うが、そのうち、通常の周期Ｔの定数倍に相当するタイミングだけ、着信発生を検出するようにしている。このため、着信発生を監視するための受信時間を抑制でき、判定の高頻度化に伴う消費電力の増大を抑制することができる。
【００５０】
次に、この発明の第２の実施形態に係わる無線通信システムの移動局について説明する。第２の実施形態に係わる移動局は、前述した第１の実施形態の移動局と、制御部１００の制御内容と、記憶部１１２が記憶する情報が異なるが、見かけ上、同様の構成から成ることより、図１を参照して第１の実施形態の移動局と異なる部分を中心に説明する。
【００５１】
記憶部１１２は、制御部１００の制御プログラムや制御データを記憶するものである。例えば、記憶部１１２は、制御データとして、伝送フォーマットテーブルを記憶する。伝送フォーマットテーブルは、伝送フォーマットを識別するMCS情報と、変調方式Ｍ、符号化率Ｒ、リピティション数および直交化を決定するパラメータＮなどの情報を対応づけたものである。
【００５２】
また記憶部１１２は、ハンドオーバの発生時刻を記憶するハンドオーバテーブルを記憶する。そしてまた記憶部１１２は、図５に示すようなハンドオーバ頻度ｆと測定周期Ｔｎを対応付けた測定周期テーブルを記憶する。なお、Ｔ＞Ｔ１＞Ｔ２＞Ｔ３＞…＞０であり、Ｔは、例えば、3GPP TS 25.331 V6.10.0 (2006-06) Technical Specification 3rd Generation Partnership Project; Technical Specification Group Radio Access Network; Radio Resource Control (RRC); Protocol Specification (Release 6)で定められた通常の測定周期である。
【００５３】
制御部１００は、品質測定部１０５が求めた干渉レベルを示す制御情報を生成し、これを送信系１１３を通じて基地局に宛てて送信する。  
また制御部１００は、制御チャネル復調部１０６が抽出した制御情報からMCS情報を検出し、これから基地局が当該移動局宛ての送信に用いる伝送フォーマットが上記MCS情報で示される伝送フォーマットであることを認識する。そして制御部１００は、記憶部１１２が記憶する伝送フォーマットテーブルを参照し、基地局から送信される情報が受信できるように、上記MCS情報に対応するパラメータで当該移動局の各部を統括して制御する。
【００５４】
そしてまた制御部１００は、時刻を計時する機能を備えるほかに、ハンドオーバテーブルと、測定周期テーブルと、品質測定部１０５が測定した各基地局の電力レベルまたは電力密度とに基づいて、ハンドオーバの必要性を判定し、この判定結果に応じて、ハンドオーバを実行する機能を備える。
【００５５】
次に、上記構成の移動局の動作について説明する。ここでは特に、ハンドオーバの判定と実行に関する動作について説明する。図６は、この動作を説明するためのフローチャートとであって、制御部１００によってなされる。制御部１００は、その制御プログラムを記憶部１１２から読み出して実行する。図６に示す処理は、当該基地局の電源が投入されると、電源が切られるまで切り返し実行される。
【００５６】
まずステップ６ａにおいて制御部１００は、受信系の各部を動作制御して、通信もしくは着信待ち受けに用いている基地局（以下、カレント基地局と称する）から送信される信号を間欠受信させるとともに、品質測定部１０５にその受信電力レベル（もしくは電力密度）を測定させ、ステップ６ｂに移行する。これにより、受信系の各部は、カレント基地局以外の基地局から送信される信号を受信し、品質測定部１０５は、上記信号に基づいて受信電力レベルを測定する。
【００５７】
ステップ６ｂにおいて制御部１００は、ステップ６ａで品質測定部１０５に測定させた受信電力レベルが予め設定した閾値ｔｈ１以下か否かを判定することで、ハンドオーバの必要性があるか否かを判定する。ここで、上記受信電力レベルが閾値ｔｈ１以下の場合には、ステップ６ｃに移行し、一方、上記受信電力レベルが閾値ｔｈ１よりも大きい場合には、ステップ６ａに移行する。
【００５８】
ステップ６ｃにおいて制御部１００は、再び受信系の各部および品質測定部１０５を動作制御して、カレント基地局以外の基地局について受信電力レベルを測定させる。これにより、受信系の各部は、カレント基地局以外の基地局から送信される信号を受信し、品質測定部１０５は、上記信号に基づいて受信電力レベルを測定する。そして制御部１００は、その測定結果に基づいて、高い受信電力が得られる候補基地局を検出し、ステップ６ｄに移行する。
【００５９】
ステップ６ｄにおいて制御部１００は、記憶部１１２が記憶するハンドオーバテーブルを参照し、現在時刻から過去の所定時間内に発生したハンドオーバ回数、すなわち所定時間内に発生したハンドオーバの発生頻度ｆを検出し、ステップ６ｅに移行する。
【００６０】
ステップ６ｅにおいて制御部１００は、記憶部１１２が記憶する測定周期テーブルを参照し、ハンドオーバの発生頻度ｆに対応する測定周期Ｔｎを読み出し、ステップ６ｆに移行する。  
ステップ６ｆにおいて制御部１００は、タイマを起動し、予め設定した時間（例えば、3GPP TS 25.331 V6.10.0 (2006-06) Technical Specification 3rd Generation Partnership Project; Technical Specification Group Radio Access Network; Radio Resource Control (RRC);Protocol Specification (Release 6)で規定される時間、５．１２秒）のカウントダウンを開始し、ステップ６ｇに移行する。
【００６１】
ステップ６ｇにおいて制御部１００は、ステップ６ｆのタイマスタートから、予め設定した通常の周期Ｔｎ×ｋ（ｋ＝０，１，２…）が到来したか否かを判定することで、間欠受信のタイミングが到来したか否かを判定する。ここで、間欠受信のタイミングが到来した場合には、ステップ６ｈに移行し、一方、間欠受信のタイミングが到来していない場合には、ステップ６ｇに移行して、間欠受信のタイミングの到来を再び監視する。
【００６２】
ステップ６ｈにおいて制御部１００は、受信系の各部および品質測定部１０５を動作制御して、カレント基地局および候補基地局について受信電力レベルを測定させ、ステップ６ｉに移行する。これにより、受信系の各部は、カレント基地局および候補基地局からそれぞれ送信される信号を受信し、品質測定部１０５は、上記信号に基づいて、カレント基地局および候補基地局について受信電力レベルを測定する。
【００６３】
またステップ６ｈにおいて制御部１００は、現在の周期Ｔｎ×ｋが、通常の周期Ｔの定数倍に相当する場合には、上述した受信電力レベルの測定に先立ち、制御チャネル復調部１０６を制御して、カレント基地局から送信される制御信号を受信させ、その復調結果に基づいて、当該移動局宛ての着信発生を示す着信報知情報の有無を確認する。ここで、着信報知情報を検出した場合には、図示しない着信報知処理を実行し、ユーザに着信の発生を報知する。
【００６４】
ステップ６ｉにおいて制御部１００は、ステップ６ｈにおいて品質測定部１０５が測定したカレント基地局の受信電力レベルと候補基地局の受信電力レベルを比較する。そして、カレント基地局の受信電力レベルが、候補基地局の受信電力レベル未満の場合には、ステップ６ｊに移行し、一方、カレント基地局の受信電力レベルが候補基地局の受信電力レベル以上の場合には、ハンドオーバの必要はないものと見なして、当該処理を終了する。
【００６５】
ステップ６ｊにおいて制御部１００は、ステップ６ｆで起動したタイマがタイムアウトしたか否かを判定することで、ステップ６ｆでのタイマ起動から予め設定した時間が経過したか否かを判定する。ここで、予め設定した時間が経過した場合には、ステップ６ｋに移行し、一方、予め設定した時間が経過していない場合には、ステップ６ｇに戻り、引き続き、測定周期Ｔｎ毎に受信電力レベルの測定と比較を行う。
【００６６】
ステップ６ｋにおいて制御部１００は、まず送信系１１３を制御して、ステップ６ｃで検出した候補基地局に対してハンドオーバの要求を行い、その後、受信系の各部および送信系１１３を制御して、所定の手順に従って候補基地局にハンドオーバする。そして、制御部１００は、送信系１１３を制御して、候補基地局を通じて位置登録を行い、ステップ６ｌに移行する。  
ステップ６ｌにおいて制御部１００は、ステップ６ｋのハンドオーバを完了した時刻を、記憶部１１２が記憶するハンドオーバテーブルに記録し、当該処理を終了する。
【００６７】
以上のように、上記構成の移動局では、規格で定められた周期Ｔでのセル評価に加えて、ハンドオーバの発生頻度に応じた周期でカレント基地局と候補基地局とを比較し、候補基地局がハンドオーバを行うべき基地局か正確かつ効率的に判定するようにしている。  
すなわち、図４に示すように、ハンドオーバが頻発しない（ｆがｆ１以下）場合には、図４（ａ）に示すように、通常の周期Ｔでカレント基地局と候補基地局との比較を行い、一方、ハンドオーバが頻発する（ｆがｆ１より大きい）場合には、図４（ｂ）に示すように、ハンドオーバパラメータＬに応じた周期Ｔｎ（＜Ｔ）でカレント基地局と候補基地局との比較を行う。
【００６８】
このように、ハンドオーバが頻発する場合には、規格で定まった通常の周期Ｔよりも短い周期Ｔｎでハンドオーバの必要性を判定するため、候補基地局の受信レベルがカレント基地局の受信電力レベルより低下して待ち受け基地局として相応しくない状態を検出しやすく、そして、その状態を検出した場合には（ステップ６ｉでＮｏ）、ハンドオーバを行わずにカレント基地局により待ち受けを継続するようにしている。
【００６９】
したがって、上記構成の移動局によれば、ユーザがフリンジエリアで利用しても、正確に位置登録処理の必要性を判定することができるので、無用な位置登録処理によるバッテリ浪費を抑制することができる。
【００７０】
なお、ハンドオーバが頻発する（ｆがｆ１より大きい）場合には、図４（ｂ）に示すように、ハンドオーバの発生頻度ｆに応じた周期Ｔｎ（＜Ｔ）でカレント基地局と候補基地局との比較を行うが、そのうち、通常の周期Ｔの定数倍に相当するタイミングだけ、着信発生を検出するようにしている。このため、着信発生を監視するための受信時間を抑制でき、判定の高頻度化に伴う消費電力の増大を抑制することができる。
【００７１】
次に、この発明の第３の実施形態に係わる無線通信システムの移動局について説明する。第３の実施形態に係わる移動局は、図７に示すように構成され、図１に示した第１の実施形態の移動局と、制御部１００の制御内容と、記憶部１１２が記憶する情報が異なるとともに、２つのアンテナと、アンテナ切替部１１４を備えた点が異なる。以下の説明では、図１に示した第１の実施形態の移動局と異なる部分を中心に説明する。
【００７２】
アンテナ切替部１１４は、２つのアンテナを収容し、制御部１００からの指示にしたがって一方のアンテナを選択して、受信に用いる。  
記憶部１１２は、制御部１００の制御プログラムや制御データを記憶するものである。例えば、記憶部１１２は、制御データとして、伝送フォーマットテーブルを記憶する。伝送フォーマットテーブルは、伝送フォーマットを識別するMCS情報と、変調方式Ｍ、符号化率Ｒ、リピティション数および直交化を決定するパラメータＮなどの情報を対応づけたものである。
【００７３】
また記憶部１１２は、ハンドオーバの発生時刻を記憶するハンドオーバテーブルを記憶する。そしてまた記憶部１１２は、図８に示すようなハンドオーバパラメータLとアンテナ切替周期（測定周期）Ｔｎを対応付けた切替周期テーブルを記憶する。なお、Ｔ＞Ｔ１＞Ｔ２＞Ｔ３＞…＞０であり、Ｔは、例えば、3GPP TS 25.331 V6.10.0 (2006-06) Technical Specification 3rd Generation Partnership Project; Technical Specification Group Radio Access Network; Radio Resource Control (RRC);Protocol Specification (Release 6)で定められた通常の測定周期である。
【００７４】
制御部１００は、品質測定部１０５が求めた干渉レベルを示す制御情報を生成し、これを送信系１１３を通じて基地局に宛てて送信する。  
また制御部１００は、制御チャネル復調部１０６が抽出した制御情報からMCS情報を検出し、これから基地局が当該移動局宛ての送信に用いる伝送フォーマットが上記MCS情報で示される伝送フォーマットであることを認識する。そして制御部１００は、記憶部１１２が記憶する伝送フォーマットテーブルを参照し、基地局から送信される情報が受信できるように、上記MCS情報に対応するパラメータで当該移動局の各部を統括して制御する。
【００７５】
そしてまた制御部１００は、時刻を計時する機能を備えるほかに、ハンドオーバテーブルと、切替周期テーブルと、ハンドオーバパラメータＬと、品質測定部１０５が測定した各基地局の電力レベルまたは電力密度とに基づいて、ハンドオーバの必要性を判定し、この判定結果に応じて、ハンドオーバを実行する機能を備える。
【００７６】
次に、上記構成の移動局の動作について説明する。ここでは特に、ハンドオーバの判定と実行に関する動作について説明する。図９は、この動作を説明するためのフローチャートとであって、制御部１００によってなされる。制御部１００は、その制御プログラムを記憶部１１２から読み出して実行する。図９に示す処理は、当該基地局の電源が投入されると、電源が切られるまで切り返し実行される。なお、電源投入時には、ハンドオーバパラメータＬは、初期値として「１」に設定される。その後は、図９に示す処理で更新された値が、電源が切られるまで保持される。
【００７７】
まずステップ９ａにおいて制御部１００は、受信系の各部を動作制御して、通信もしくは着信待ち受けに用いている基地局（以下、カレント基地局と称する）から送信される信号を間欠受信させるとともに、品質測定部１０５にその受信電力レベル（もしくは電力密度）を測定させ、ステップ９ｂに移行する。これにより、受信系の各部は、カレント基地局以外の基地局から送信される信号を受信し、品質測定部１０５は、上記信号に基づいて受信電力レベルを測定する。
【００７８】
ステップ９ｂにおいて制御部１００は、ステップ９ａで品質測定部１０５に測定させた受信電力レベルが予め設定した閾値ｔｈ１以下か否かを判定することで、ハンドオーバの必要性があるか否かを判定する。ここで、上記受信電力レベルが閾値ｔｈ１以下の場合には、ステップ９ｃに移行し、一方、上記受信電力レベルが閾値ｔｈ１よりも大きい場合には、ステップ９ａに移行する。
【００７９】
ステップ９ｃにおいて制御部１００は、再び受信系の各部および品質測定部１０５を動作制御して、カレント基地局以外の基地局について受信電力レベルを測定させる。これにより、受信系の各部は、カレント基地局以外の基地局から送信される信号を受信し、品質測定部１０５は、上記信号に基づいて受信電力レベルを測定する。そして制御部１００は、その測定結果に基づいて、高い受信電力が得られる候補基地局を検出し、ステップ９ｄに移行する。
【００８０】
ステップ９ｄにおいて制御部１００は、記憶部１１２が記憶するハンドオーバテーブルを参照し、現在時刻から過去の所定時間内に発生したハンドオーバ回数、すなわち所定時間内に発生したハンドオーバの発生頻度ｆを検出し、ステップ９ｅに移行する。
【００８１】
ステップ９ｅにおいて制御部１００は、ステップ９ｄで検出したハンドオーバの発生頻度ｆが、予め設定した閾値ｔｈ２未満か以上かを判定することで、ハンドオーバが頻発しているか否かを判定する。ここで、ハンドオーバの発生頻度ｆが閾値ｔｈ２未満の場合には、ステップ９ｆに移行し、一方、ハンドオーバの発生頻度ｆが閾値ｔｈ２以上の場合には、ステップ９Ａに移行する。
【００８２】
ステップ９ｆにおいて制御部１００は、タイマを起動し、予め設定した時間（例えば、3GPP TS 25.331 V6.10.0 (2006-06) Technical Specification 3rd Generation Partnership Project; Technical Specification Group Radio Access Network; Radio Resource Control (RRC);Protocol Specification (Release 6)で規定される時間、５．１２秒）のカウントダウンを開始し、ステップ９ｇに移行する。
【００８３】
ステップ９ｇにおいて制御部１００は、ステップ９ｆのタイマスタートから、予め設定した通常の周期のｋ倍（ｋ＝０，１，２…）の周期Ｔ×ｋが到来したか否かを判定することで、間欠受信のタイミングが到来したか否かを判定する。ここで、間欠受信のタイミングが到来した場合には、ステップ９ｈに移行し、一方、間欠受信のタイミングが到来していない場合には、ステップ９ｇに移行して、間欠受信のタイミングの到来を再び監視する。
【００８４】
ステップ９ｈにおいて制御部１００は、制御チャネル復調部１０６を制御して、カレント基地局から送信される制御信号を受信させ、その復調結果に基づいて、当該移動局宛ての着信発生を示す着信報知情報の有無を確認する。ここで、着信報知情報を検出した場合には、図示しない着信報知処理を実行し、ユーザに着信の発生を報知する。
【００８５】
またステップ９ｈにおいて制御部１００は、上述した制御信号の受信に続いて、受信系の各部および品質測定部１０５を動作制御して、カレント基地局および候補基地局について受信電力レベルを測定させる。これにより、受信系の各部は、カレント基地局および候補基地局からそれぞれ送信される信号を受信し、品質測定部１０５は、上記信号に基づいて、カレント基地局および候補基地局について受信電力レベルを測定し、ステップ９ｉに移行する。
【００８６】
ステップ９ｉにおいて制御部１００は、ステップ９ｈにおいて品質測定部１０５が測定したカレント基地局の受信電力レベルと候補基地局の受信電力レベルを比較する。そして、カレント基地局の受信電力レベルが、候補基地局の受信電力レベル未満の場合には、ステップ９ｊに移行し、一方、カレント基地局の受信電力レベルが候補基地局の受信電力レベル以上の場合には、ハンドオーバの必要はないものと見なして当該処理を終了する。
【００８７】
ステップ９ｊにおいて制御部１００は、ステップ９ｆで起動したタイマがタイムアウトしたか否かを判定することで、ステップ９ｆでのタイマ起動から予め設定した時間が経過したか否かを判定する。ここで、予め設定した時間が経過した場合には、ステップ９ｐに移行し、一方、予め設定した時間が経過していない場合には、ステップ９ｇに戻り、引き続き、測定周期Ｔ毎に受信電力レベルの測定と比較を行う。
【００８８】
ステップ９Ａにおいて制御部１００は、記憶部１１２が記憶する切替周期テーブルを参照し、ハンドオーバパラメータＬに対応する切替（測定）周期Ｔｎを読み出し、ステップ９ｋに移行する。
【００８９】
ステップ９ｋにおいて制御部１００は、タイマを起動し、予め設定した時間（例えば、3GPP TS 25.331 V6.10.0 (2006-06) Technical Specification 3rd Generation Partnership Project; Technical Specification Group Radio Access Network; Radio Resource Control (RRC); Protocol Specification (Release 6)で規定される時間、５．１２秒）のカウントダウンを開始し、ステップ９ｌに移行する。
【００９０】
ステップ９ｌにおいて制御部１００は、ステップ９ｋのタイマスタートから、予め設定した通常の周期Ｔｎ×ｋ（ｋ＝０，１，２…）が到来したか否かを判定することで、間欠受信のタイミングが到来したか否かを判定する。ここで、間欠受信のタイミングが到来した場合には、ステップ９Ｄに移行し、一方、間欠受信のタイミングが到来していない場合には、ステップ９ｌに移行して、間欠受信のタイミングの到来を再び監視する。
【００９１】
ステップ９Ｄにおいて制御部１００は、アンテナ切替部１１４にアンテナを切り替えるように指示し、ステップ９ｍに移行する。これによりアンテナ切替部１１４は、使用するアンテナを現在使用しているアンテナから使用していない方のアンテナに切り替える。
【００９２】
ステップ９ｍにおいて制御部１００は、受信系の各部および品質測定部１０５を動作制御して、カレント基地局および候補基地局について受信電力レベルを測定させ、ステップ９ｎに移行する。これにより、受信系の各部は、ステップ９Ｄで新たに選択されたアンテナを通じて、カレント基地局および候補基地局からそれぞれ送信される信号を受信し、品質測定部１０５は、上記信号に基づいて、カレント基地局および候補基地局について受信電力レベルを測定する。
【００９３】
またステップ９ｍにおいて制御部１００は、現在の周期Ｔｎ×ｋが、通常の周期Ｔの定数倍に相当する場合には、上述した受信電力レベルの測定に先立ち、制御チャネル復調部１０６を制御して、カレント基地局から送信される制御信号を受信させ、その復調結果に基づいて、当該移動局宛ての着信発生を示す着信報知情報の有無を確認する。ここで、着信報知情報を検出した場合には、図示しない着信報知処理を実行し、ユーザに着信の発生を報知する。
【００９４】
ステップ９ｎにおいて制御部１００は、ステップ９ｍにおいて品質測定部１０５が測定したカレント基地局の受信電力レベルと候補基地局の受信電力レベルを比較する。そして、カレント基地局の受信電力レベルが、候補基地局の受信電力レベル未満の場合には、ステップ９ｏに移行し、一方、カレント基地局の受信電力レベルが候補基地局の受信電力レベル以上の場合には、ハンドオーバの必要はないものと見なして、ステップ９Ｂに移行する。
【００９５】
ステップ９ｏにおいて制御部１００は、ステップ９ｋで起動したタイマがタイムアウトしたか否かを判定することで、ステップ９ｋでのタイマ起動から予め設定した時間が経過したか否かを判定する。ここで、予め設定した時間が経過した場合には、ステップ９ｐに移行し、一方、予め設定した時間が経過していない場合には、ステップ９ｌに戻り、引き続き、測定周期Ｔｎ毎に受信電力レベルの測定と比較を行う。
【００９６】
ステップ９Ｂにおいて制御部１００は、ハンドオーバパラメータＬの値を「１」だけ減らし、当該処理を終了する。これにより、次回ステップ９Ａに移行した場合に、今回の測定周期Ｔｎのよりも１段階長い周期を選択することになる。
【００９７】
ステップ９ｐにおいて制御部１００は、まず送信系１１３を制御して、ステップ９ｃで検出した候補基地局に対してハンドオーバの要求を行い、その後、受信系の各部および送信系１１３を制御して、所定の手順に従って候補基地局にハンドオーバする。そして、制御部１００は、送信系１１３を制御して、候補基地局を通じて位置登録を行い、ステップ９ｑに移行する。
【００９８】
ステップ９ｑにおいて制御部１００は、ステップ９ｐのハンドオーバを完了した時刻を、記憶部１１２が記憶するハンドオーバテーブルに記録し、ステップ９Ｃに移行する。  
ステップ９Ｃにおいて制御部１００は、ハンドオーバパラメータLの値を「１」だけ増やし、当該処理を終了する。これにより、次回ステップ９Ａに移行した場合に、今回の測定周期Ｔｎのよりも１段階短い周期を選択することになる。
【００９９】
以上のように、上記構成の移動局では、規格で定められた周期Ｔでのセル評価に加えて、ハンドオーバの発生／不発生に応じて変化するハンドオーバパラメータLに応じた周期で２つのアンテナを切り替えて受信を行ってカレント基地局と候補基地局とを比較し、候補基地局がハンドオーバを行うべき基地局か正確かつ効率的に判定するようにしている。
【０１００】
すなわち、ハンドオーバが頻発する（ｆが閾値ｔｈ２以上）場合には、ハンドオーバパラメータＬに応じた周期Ｔｎ（＜Ｔ）で２つのアンテナを切り替えて受信を行い、常に候補基地局の方がカレント基地局より受信電力レベルが高い場合に、ハンドオーバを実行する。
【０１０１】
このように、ハンドオーバが頻発する場合には、規格で定まった通常の周期Ｔよりも短い周期Ｔｎで２つのアンテナを切り替えて受信を行いハンドオーバの必要性を判定するため、アンテナを切り替えた場合に、候補基地局の受信レベルがカレント基地局の受信電力レベルより低下して待ち受け基地局として相応しくない状態を検出しやすく、そして、その状態を検出した場合には（ステップ９ｎでＮｏ）、ハンドオーバを行わずにカレント基地局により待ち受けを継続するようにしている。
【０１０２】
したがって、上記構成の移動局によれば、ユーザがフリンジエリアで利用しても、正確に位置登録処理の必要性を判定することができるので、無用な位置登録処理によるバッテリ浪費を抑制することができる。
【０１０３】
なお、ハンドオーバが頻発する（ｆが閾値ｔｈ２以上）場合には、図４（ｂ）に示すように、ハンドオーバパラメータＬに応じた周期Ｔｎ（＜Ｔ）でカレント基地局と候補基地局との比較を行うが、そのうち、通常の周期Ｔの定数倍に相当するタイミングだけ、着信発生を検出するようにしている。このため、着信発生を監視するための受信時間を抑制でき、判定の高頻度化に伴う消費電力の増大を抑制することができる。
【０１０４】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【０１０５】
その一例として例えば、上記第３の実施形態では、ハンドオーバが頻発する（ｆが閾値ｔｈ２以上）場合に、２つのアンテナを交互に切り替えてハンドオーバの必要性を確認するようにしたが、これに代わって例えば、着信を報知するために備えたバイブレータ（図示しない）を動作させて基地局との間の距離を変化させながらハンドオーバの必要性を確認するようにしてもよい。これによっても、様々な方角のパスを受信して正確にハンドオーバの必要性を確認できるので、無駄なハンドオーバを抑制することができる。  
その他、この発明の要旨を逸脱しない範囲で種々の変形を施しても同様に実施可能であることはいうまでもない。
【図面の簡単な説明】
【０１０６】
【図１】この発明に係わる移動無線端末装置の第１および第２の実施の形態の構成を示す回路ブロック図。
【図２】第１の実施形態の移動無線端末装置の記憶部が記憶するテーブルを示す図。
【図３】第１の実施形態の移動無線端末装置の動作を説明するためのフローチャート。
【図４】第１および第２の実施形態の移動無線端末装置の動作を説明するための図。
【図５】第２の実施形態の移動無線端末装置の記憶部が記憶するテーブルを示す図。
【図６】第２の実施形態の移動無線端末装置の動作を説明するためのフローチャート。
【図７】この発明に係わる移動無線端末装置の第３の実施の形態の構成を示す回路ブロック図。
【図８】第３の実施形態の移動無線端末装置の記憶部が記憶するテーブルを示す図。
【図９】第３の実施形態の移動無線端末装置の動作を説明するためのフローチャート。
【図１０】第３の実施形態の移動無線端末装置の動作を説明するための図。
【符号の説明】
【０１０７】
１００…制御部、１０１…無線受信部、１０２…GI除去部、１０３…FFT部、１０４…信号分離部、１０５…品質測定部、１０６…制御チャネル復調部、１０７…直交コード乗算部、１０８…デリピティション部、１０９…復調部、１１０…チャネルデインターリーバ、１１１…チャネルデコーダ、１１２…記憶部、１１３…送信系、１１４…アンテナ切替部。
【図１】
0004992593.tif 000002
【図２】
0004992593.tif 000003
【図３】
0004992593.tif 000004
【図４】
0004992593.tif 000005
【図５】
0004992593.tif 000006
【図６】
0004992593.tif 000007
【図７】
0004992593.tif 000008
【図８】
0004992593.tif 000009
【図９】
0004992593.tif 000010
【図１０】
0004992593.tif 000011